【事件の表示】
　特願２００８−２８０４４４「電子部品装着装置」拒絶査定不服審判事件〔平成２２年　５月１３日出願公開、特開２０１０−１０９１９３〕について、次のとおり審決する。
【結　論】
　本件審判の請求は、成り立たない。
【理　由】
第１．手続の経緯 
　本願は、平成２０年１０月３０日の出願であって、平成２４年１０月２６日付け（平成２４年１１月６日：発送日）で拒絶査定がなされ、これに対し、平成２５年２月６日に拒絶査定不服審判の請求がなされるとともに、その請求と同時に手続補正がなされたものである。
　　 　 
第２．平成２５年２月６日付けの手続補正についての補正却下の決定 
［補正却下の決定の結論］ 
　平成２５年２月６日付けの手続補正（以下、「本件補正」という。）を却下する。 
 　 
［理由］ 
１．補正後の本件発明 
　本件補正は、特許請求の範囲の請求項１について、
「【請求項１】
　プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが着脱可能に設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、種々の前記吸着ノズルを収納するノズルストッカを前記搬送装置の両外方のいずれの前記フィーダベース上であっても着脱自在となるように設けたことを特徴とする電子部品装着装置。」
　とあったものを
「【請求項１】
　プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが着脱可能に設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、種々の前記吸着ノズルを収納するノズルストッカを
前記搬送装置の両外方の前記部品供給装置との間であり両装着ヘッドが互いに移動して入り込むことができるいずれかの前記共通エリアに前記搬送装置に沿って設けると共に、
　とする補正を含むものである。（下線は補正箇所を示すために審判請求人が付したものである。）
　
　上記補正は、補正前の請求項１に記載された発明を特定するために必要な事項としての「ノズルストッカ」に関して、「搬送装置の両外方の前記部品供給装置との間であり両装着ヘッドが互いに移動して入り込むことができるいずれかの共通エリアに前記搬送装置に沿って設けると共に」との限定を付加すものであり、かつ、補正後の請求項１に記載された発明は、補正前の請求項１に記載された発明と、産業上の利用分野及び解決しようとする課題が同一であるので、本件補正は、特許法第１７条の２第５項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
　 
２．引用文献の記載事項 
（１）原査定の拒絶の理由に引用された、本願の出願前に頒布された刊行物である特開２００３−４６２９５号公報（以下、「引用文献１」という。）には、図面（特に図１９を参照。）と共に、以下の事項が記載されている。　
ア．「【０００１】
【発明の属する技術分野】本発明は、電気部品（電子部品を含む）を回路基板に装着する電気部品装着システム、および、電気部品を回路基板に装着する工程を含む電気回路の製造方法に関する。」
　
イ．「【０００６】電気回路の需要が益々高まる中、装着効率、スペース効率等を始めとする電気回路組立作業における作業効率を改善することが切望されているという実情に鑑み、本発明は、作業効率の良好な電気回路組立作業が実現できる電気部品装着システム、および、電気回路組立作業における作業効率の良好な電気回路製造方法を得ることを課題としてなされたものである。・・・」
　
ウ．「【０００９】つまり、本項記載の態様の電気部品装着システムは、電気部品を取得保持，装着する装着ヘッドを備えた複数の装着ユニットを装備した電気部品装着システムであり、区別された第１装着ユニットと第２装着ユニットとの２種の装着ユニットが、相互に干渉し合うことなく、部品供給領域と部品装着領域との間を行き来できるようにしたものである。複数の装着ユニットを有する電気部品装着システムであるが、それらの装着ユニットの移動に際しての制約が少ないことから、本態様の電気部品装着システムは、装着効率の高い装置となる。
【００１０】本発明の電気部品装着システムが作業対象とする電気回路は、特に限定されるものではなく、例えばプリント基板等の回路基板に多種、多数の電気部品が実装されてなる電気回路であれば、種々のものが対象となり得る。また、実装の対象となる電気部品も特に限定されるものではなく、本発明の電気部品装着システムでは、抵抗，コンデンサ等のチップ型電気部品，フラットパッケージ型電気部品，コネクタ，ターミナル（端子）等、リード線を有するあるいは有さない種々の電気部品が対象となり得る。
【００１１】電気部品装着システムにおいては、上記電気部品は、例えば、部品供給装置から供給される。その場合、部品供給装置は、本発明の電気部品装着システムに併設されるものでもよく、本発明の電気部品装着システムの一部を構成するものであってもよい。それらの場合の部品供給装置は、その供給方式等が限定されるものではなく、供給する電気部品に応じて、様々なタイプのものを用いることができる。例えば、比較的小型の電気部品を供給するものとして、テーピングフィーダ，バルクフィーダ等のフィーダ型部品供給装置を採用することができる。また、例えば、比較的大型の電気部品を供給するものとして、トレイ型部品供給装置をも採用することができる。いずれのタイプの部品供給装置を用いる場合であっても、それらの部品供給位置が電気部品が装着される回路基板の傍らに位置するように、それらの部品供給装置を配設すればよい。」
　
エ．「【００６０】・・・本装着システムに回路基板１０を搬入する基板搬入装置としての搬入コンベア４４、および、本装着システムから回路基板１０を搬出する基板搬出装置である搬出コンベア４６に繋がるように配設されている。・・・」
　
オ．「【００６４】第１装着ユニット１４の正面一部断面図を、図５に示す。第１装着ユニットに備えられる装着ヘッド１３は、電気部品を保持する部品保持部である吸着ノズル１００と、吸着ノズル１００を保持する軸部であるヘッド軸１０２とを含んで構成される。・・・」
　
カ．「【０１０９】〈その他の実施形態〉以下に、その他の実施形態の電気部品装着システムについて説明する。図１９に、その一例となる電気部品装着システムの各装置の構成を概念的に示す。本実施形態の電気部品装着システムは、主に、回路基板７００を保持する２つの保持部を有する基板保持装置７０２と、電気部品の取得保持，装着を行う装着ヘッドを備えた２種の装着ユニット７０４，７０６（１つの第１装着ユニット７０４および１つの第２装着ユニット７０６）と、２つのＸＹスライド装置を含む装着ユニット移動装置７１０とを含んで構成される。本装着システムでは、部品供給装置７１２，７１４は、基板保持装置７０２の両側、詳しくは、Ｘ軸方向の両側にそれぞれ併設される。したがって、部品供給領域は部品装着領域の両側に存在する。部品供給装置７１２はフィーダ型部品供給装置であり、部品供給装置７１４はトレイ型部品供給装置である。
【０１１０】装着ユニット移動装置７１０は、第１装着ユニット７０４を、２つの部品供給領域および部品装着領域にわたって移動させる第１装着ユニット移動装置７２０と、第２装着ユニット７０６を、２つの部品供給領域および部品装着領域にわたって移動させる第２装着ユニット移動装置７２２とを含んで構成される。第１装着ユニット移動装置７２０，第２装着ユニット移動装置７２２ともに、ＸＹスライド装置であり、第１装着ユニット移動装置７２０は、第１Ｘスライド７３０と、第１Ｘスライド５５０を移動させる第１Ｘスライド移動装置と、第１装着ユニット７０４が設けらる第１Ｙスライド７３４と、第１Ｙスライド７３４を第１Ｘスライド７３０に沿って移動させる第１Ｙスライド移動装置とを含み、さらに第１Ｘスライド７３０をＺ軸方向に昇降移動させる第１Ｘスライド昇降装置７３８を含んでで構成される。第２装着ユニット移動装置７２２は、第２Ｘスライド７４０と、第２Ｘスライド７４０を移動させる第２Ｘスライド移動装置と、第２装着ユニット７０６が設けられる第２Ｙスライド７４４と、第２Ｙスライド７４４を第２Ｘスライド７４０に沿って移動させる第２Ｙスライド移動装置とを含み、さらに第２Ｘスライド７４０をＺ軸方向に昇降移動させる第２Ｘスライド昇降装置７４８を含んでで構成される。
【０１１１】また、本装着システムでは、第１装着ユニット移動装置７２０と第２装着ヘッド移動装置と７２２は、Ｘスライド７３０，７４０の移動方向が同じ、つまり、第１Ｘスライド７３０の移動方向である第１Ｘスライド移動方向と、第２Ｘスライド７４０の移動方向である第２Ｘスライド移動方向とが、ともにＸ軸方向である。そして、その方向は、部品供給装置７１２，７１４と基板保持装置７０２とが並ぶ方向、つまり、２つの部品供給領域と部品装着領域とが並ぶ方向と一致し、また、基板保持装置７０２において回路基板７００が並ぶ方向とも一致している。・・・」
　
キ．「【０１１２】２つの装着ユニット７０４，７０６ともに、部品供給領域と部品装着領域との間の移動は、同じ平面に沿って行われる。両者が入れ替わるときには、第１Ｘスライド昇降装置７３８と第２Ｘスライド昇降装置７４８との一方が作動し、第１Ｘスライド７３０または第２Ｘスライド７４０が上昇させられることで第１装着ユニット７０４または第２装着ユニット７０６が上昇させられ、両者の干渉は生じないように制御される。・・・装着ユニット７０４，７０６，それらが備える装着ヘッドの構成、装着ユニット移動装置７１０が備える各装置の構成は、前述の第１実施形態，その変形態様，第２実施形態のものに従えばよく、ここでの説明は省略する。また、制御装置を始めとする他の装置の構成についても同様であり、ここでの説明は省略する。」
　
　上記記載事項及び図示内容から、以下の事項が認められる。
ク．記載事項オ（段落【０１１０】）の「装着ユニット移動装置７１０は、第１装着ユニット７０４を、２つの部品供給領域および部品装着領域にわたって移動させる第１装着ユニット移動装置７２０と、第２装着ユニット７０６を、２つの部品供給領域および部品装着領域にわたって移動させる第２装着ユニット移動装置７２２とを含んで構成される。」との記載、及び記載事項キの「両者が入れ替わるときには、第１Ｘスライド昇降装置７３８と第２Ｘスライド昇降装置７４８との一方が作動し、第１Ｘスライド７３０または第２Ｘスライド７４０が上昇させられることで第１装着ユニット７０４または第２装着ユニット７０６が上昇させられ、両者の干渉は生じないように制御される。」との記載から、電気部品装着システムは、各移動装置を駆動して第１Ｘスライド７３０及び第２Ｘスライド７４０に設けられた第１装着ユニット７０４及び第２装着ユニット７０６の吸着ノズルにより２つの部品供給装置から電子部品を取出せる構成になっていることが理解できる。
　　
　これら記載事項、図示内容及び認定事項を総合し、本願補正発明の記載ぶりに倣って整理すると、引用文献１には、次の発明（以下、「引用発明」という。）が記載されている。 　
「回路基板７００を搬入する基板搬入装置と、電子部品を供給するもので部品装着領域の両側に設けられるフィーダ型部品供給装置及びトレイ型部品供給装置と、第１Ｘスライド移動装置によりＸ軸方向に移動可能な第１Ｘスライド７３０と、第２Ｘスライド移動装置によりＸ軸方向に移動可能な第２Ｘスライド７４０と、吸着ノズルが設けられ前記第１Ｘスライド７３０に沿った方向に第１Ｙスライド移動装置により移動可能な第１装着ユニット７０４と、吸着ノズルが設けられ前記第２Ｘスライド７４０に沿った方向に第２Ｙスライド移動装置により移動可能な第２装着ユニット７０６とを備えた電気部品装着システムにおいて、前記各移動装置を駆動して前記第１Ｘスライド７３０及び第２Ｘスライド７４０に設けられた第１装着ユニット７０４及び第２装着ユニット７０６の吸着ノズルにより２つの前記部品供給装置から電子部品を取出せるように構成する電気部品装着システム。」
　 
（２）原査定の拒絶の理由に引用された、本願の出願前に頒布された刊行物である特開平１１−３４０６９２号公報（以下、「引用文献２」という。）には、図面と共に、以下の事項が記載されている。
サ．「【０００１】
【産業上の利用分野】本発明は、基板への電子部品の装着に際して、事前の装着準備の高効率化と、電子部品の装着時間の短縮化を図ることができる電子部品装着装置およびその方法に関する。」
　
シ．「【００１５】図１，図２および図７〜図９においてＡは、チップ部品やＩＣ部品等の電子部品ｂを、その供給部ｍより受け取って装着部ｎへ移送し、プリント基板ｃ上の所定位置へ装着する電子部品装着装置であって、本体１と、電子部品供給機集合体２と、吸着ノズル保持体３とにより基本的に構成される。
【００１６】なお、前記した電子部品装着装置Ａは、本体１における機体４において、その一側または両側にテープ式やトレイ式等の電子部品供給機ｄにおいて待機する電子部品ｂの供給部ｍが、また、機体４内において移送部材ｅによりプリント基板ｃが搬入出される装着部ｎが設けられている。
【００１７】そして、前記した電子部品装着装置Ａの構成は、図１，図２に示すように、本体１における機体４へ取り付けて、進退手段５により前後方向（Ｙ軸方向）へ任意に移動する進退体６と、この進退体６に取り付けて移動手段７により左右方向（Ｘ軸方向）へ任意に移動する可動体８と、この可動体８へ昇降手段９により装着ヘッド１０を縦軸方向（Ｚ軸方向）へ昇降自在に係合させてあると共に、この装着ヘッド１０は、回転手段１１によりＺ軸方向を中心として回転自在としてあるもので、それぞれの手段５および７，９，１１は数値制御可能なサーボモータ等により高精度で作動される。
【００１８】なお、この装着ヘッド１０は、電子部品ｂの上面を吸着する吸着パット式等が用いられるもので、４ヘッドあるいは６ヘッド等の複数個からなるヘッドに構成されているものであって、該装着ヘッド１０の下端部には吸着ノズル１０ａが取り付けられる。」
　
ス．「【００２２】また、固定手段ｆにより着脱自在に設けられる場合は、電子部品供給機ｄが、図３および図４に示すように、複数個が並列した状態で、移動体２０の取付部２３へ着脱手段ｈにより着脱自在に載置されている。」
　
セ．「【００３５】前記した吸着ノズル保持体３は、電子部品供給機集合体２の適所へ、取付手段３９により着脱自在に取り付けるもので、この電子部品供給機集合体２に対して一個または複数個が設けられるものである。
【００３６】なお、吸着ノズル１０ａは、装着される電子部品の種類に合わせて、吸着孔の内径や吸着先端形状が異なる種々のものが用意されている。
【００３７】更に、この吸着ノズル保持体３にあって、図１１に示すように、複数個の吸着ノズル１０ａを保持収納し得る受部４０を設けた保持収納部材４１と、・・・この吸着ノズル保持体３を移動体２０に設けられた取付部２３に対して着脱自在とする取付手段３９とから構成される。」
　
ソ．「【００４５】そのため、吸着ノズル１０ａの交換にあっては、装着ヘッド１０は吸着ノズル保持体３へ移動し、所定の吸着ノズル１０ａを受け取った後、装着部ｎのプリント基板ｃ上へ移動して・・・装着が行われる。」
　
タ．「【００５９】また、この吸着ノズル保持体は、電子部品装着装置における本体から離隔されるため、吸着ノズル保持体の保守や調整作業はもちろんのこと、他の装着ヘッドや基板搬送部および部品供給部等の保守・点検等の頻繁に行われる作業時であっても、該吸着ノズル保持体が邪魔となることがなく、その作業が円滑に行われ、主たる電子部品装着処理に支障を来すことがない。」
　
チ．段落【００１６】及び【図４】には、吸着ノズル保持体３を移送部材ｅの両外方に設けることが示されている。
　
　これら記載事項、図示内容及び認定事項を総合すると、引用文献２には、次の事項（以下、「引用文献２に記載されている事項」という。）が記載されている。
　
「電子部品装着装置において、装着ヘッド１０に吸着ノズル１０ａが交換可能に設けられるとともに、種々の吸着ノズル１０ａを収納する吸着ノズル保持体３を移送部材ｅの両外方に固定される移動体２０の取付部２３上に着脱自在となるように設けて、前記吸着ノズル保持体３の保守や調整作業の円滑化すること。」
　
３．対比 
　本願補正発明と引用発明とを対比すると、その意味、機能または構造からみて、
　後者の「回路基板７００を搬入する基板搬入装置」は、前者の「プリント基板を搬送する搬送装置」に相当する。
　後者の「電子部品を供給するもので部品装着領域の両側に設けられるフィーダ型部品供給装置及びトレイ型部品供給装置」と、前者の「電子部品を供給するもので前記搬送装置の両外方においてフィーダベース上に設けられる部品供給装置」とは、「電子部品を供給するもので前記搬送装置の両外方において設けられる部品供給装置」である限りにおいて共通する。
　後者の「第１Ｘスライド移動装置によりＸ軸方向に移動可能な第１Ｘスライド７３０と、第２Ｘスライド移動装置によりＸ軸方向に移動可能な第２Ｘスライド７４０」は、前者の「駆動源により一方向に移動可能な一対のビーム」に相当する。
　後者の「吸着ノズルが設けられ前記第１Ｘスライド７３０に沿った方向に第１Ｙスライド移動装置により移動可能な第１装着ユニット７０４と、吸着ノズルが設けられ前記第２Ｘスライド７４０に沿った方向に第２Ｙスライド移動装置により移動可能な第２装着ユニット７０６」と、前者の「それぞれ吸着ノズルが着脱可能に設けられ各ビームに沿った方向に各駆動源により移動可能な装着ヘッド」とは、「それぞれ吸着ノズルが設けられ各ビームに沿った方向に各駆動源により移動可能な装着ヘッド」である限りにおいて共通する。
　後者の「電気部品装着システム」は、前者の「電子部品装着装置」に相当する。
　後者の「各移動装置を駆動して前記第１Ｘスライド７３０及び第２Ｘスライド７４０に設けられた第１装着ユニット７０４及び第２装着ユニット７０６の吸着ノズルにより２つの部品供給装置から電子部品を取出せるように構成する」は、後者の「各駆動源を駆動して前記各ビームに設けられた装着ヘッドの吸着ノズルによりいずれの部品供給装置からも電子部品を取出せるように構成する」に相当する。
　
　そうすると、両者は、本願補正発明の用語を用いて表現すると、次の点で一致する。 
[一致点] 
「プリント基板を搬送する搬送装置と、電子部品を供給するもので前記搬送装置の両外方において設けられる部品供給装置と、駆動源により一方向に移動可能な一対のビームと、それぞれ吸着ノズルが設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成する電子部品装着装置。」
　
　そして、両者は次の点で相違する。 
[相違点１]
　「電子部品を供給するもので前記搬送装置の両外方において設けられる部品供給装置」に関し、
　本願補正発明は、「フィーダベース上」に設けられるのに対し、
　引用発明は、フィーダ型部品供給装置及びトレイ型部品供給装置である点。
　
[相違点２] 
　本願補正発明は、装着ヘッドに「吸着ノズルが着脱可能に設けられ」るとともに、「種々の吸着ノズルを収納するノズルストッカを搬送装置の両外方の部品供給装置との間であり両装着ヘッドが互いに移動して入り込むことができるいずれかの共通エリアに搬送装置に沿って設けると共に、前記搬送装置の両外方のいずれのフィーダベース上であっても着脱自在となるように設け」るのに対して、
　引用発明は、かかる構造を備えていない点。
　　
４．判断 
（１）[相違点１]について検討する。
　引用文献１の記載事項ウ（段落【００１１】）に、「部品供給装置は、その供給方式等が限定されるものではなく、供給する電気部品に応じて、様々なタイプのものを用いることができる。例えば、比較的小型の電気部品を供給するものとして、テーピングフィーダ，バルクフィーダ等のフィーダ型部品供給装置を採用することができる。また、例えば、比較的大型の電気部品を供給するものとして、トレイ型部品供給装置をも採用することができる。」と記載されているように、装着される電気部品によって部品供給装置の形態をフィーダ型又はトレイ型を選択し得るものであるから、引用発明において比較的小型の電気部品を供給するだけの場合には、引用発明のトレイ型部品供給装置に代えてフィーダ型部品供給装置に変更し、部品装着領域の両側に設ける部品供給装置をフィーダ型部品供給装置にすることは、必要に応じてなし得ることである。そして、「フィーダ型部品供給装置」において、部品供給装置をフィーダベース上に設けることは技術常識であるから、引用発明に引用文献１に記載されている事項を適用し、上記相違点１に係る本願補正発明の発明特定事項とすることは、当業者が容易に想到し得たことである。
　
（２）[相違点２]について検討する。
　引用文献２には、上記のとおり、「電子部品装着装置において、装着ヘッド１０に吸着ノズル１０ａが交換可能に設けられるとともに、種々の吸着ノズル１０ａを収納する吸着ノズル保持体３を移送部材ｅの両外方に固定される移動体２０の取付部２３上に着脱自在となるように設けることで前記吸着ノズル保持体３の保守や調整作業の円滑化すること」が記載されている。
　引用文献２に記載されている事項の「装着ヘッド１０」、「吸着ノズル１０ａが交換可能」、「吸着ノズル保持体３」、及び「移送部材ｅ」は、本願補正発明の「装着ヘッド」、「吸着ノズルが着脱可能」、「ノズルストッカ」、及び「搬送装置」にそれぞれ相当する。
　また、引用文献２の段落【００２２】の「固定手段ｆにより着脱自在に設けられる場合は、電子部品供給機ｄが、図３および図４に示すように、複数個が並列した状態で、移動体２０の取付部２３へ着脱手段ｈにより着脱自在に載置されている。」との記載から、引用文献２に記載されている事項の「移動体２０の取付部２３」は、本願補正発明の「フィーダベース」に相当するので、引用文献２に記載されている事項には、上記相違点に係る本願補正発明の特定事項のうち、「吸着ノズルが着脱可能に設けられ」るとともに、「種々の吸着ノズルを収納するノズルストッカをフィーダベース上に着脱自在となるように設け」る構成を含むものである。
　ところで、引用文献１の段落【００１０】には「本発明の電気部品装着システムが作業対象とする電気回路は、特に限定されるものではなく、例えばプリント基板等の回路基板に多種、多数の電気部品が実装されてなる電気回路であれば、種々のものが対象となり得る。」と記載されており、多種、多数の電気部品を吸着するためには、電気部品の大きさ、形状等に合わせて複数の吸着ノズルを用意しなくてはならないので、引用発明は、吸着ノズルを交換可能にする必要性を有するものである。
　してみると、引用発明に、引用発明と同じ電子部品装着装置に関するものであり、かつ、吸着ノズルが交換可能に設けられている構成を有する引用文献２に記載されている事項を適用する動機付けは十分あるといえるから、上記相違点１で検討したとおり、フィーダベース上に部品供給装置を設けるように変更された引用発明に、引用文献２に記載されている事項を適用し、吸着ノズルが着脱可能に設けられるとともに、種々の吸着ノズルを収納する吸着ノズル保持体をフィーダベース上に着脱自在となるように設けることは、当業者であれば適宜になし得ることである。
　また、装着効率を上げるためには第１装着ユニット７０４及び第２装着ユニット７０６に吸着ノズルが交換可能に設けられることが合理的である点、その場合に、吸着ノズル保持体を両装着ユニットが行き来きし易い場所に設置することが優位である点、引用文献１の段落【０００９】に「第１装着ユニットと第２装着ユニットとの２種の装着ユニットが、相互に干渉し合うことなく、部品供給領域と部品装着領域との間を行き来できるようにしたものである。」との記載から、第１装着ユニット７０４及び第２装着ユニット７０６双方が互いに移動して入り込むことができる共通エリアが存在している点を総合して考えると、吸着ノズル保持体をフィーダベース上に限らず、基板搬入装置の両外方の部品供給装置との間であり両装着ヘッドが互いに移動して入り込むことができるいずれかの共通エリアに設けることは、当業者であれば創意、工夫を要することなくなし得ることであり、そしてまた、吸着ノズル保持体を搬送装置に沿って設けることは、従来周知の技術（引用文献２の【図１２】のノズル交換機８０、特開２００１−２４４６９３号公報の【図１】のノズルストッカ１７を参照。）であるから、吸着ノズル保持体の具体的な設置位置として、基板搬入装置に沿って設けることも、当業者であれば適宜になし得ることである。
　
　よって、上記相違点２に係る本願補正発明の発明特定事項とすることは、当業者が容易に想到し得ることである。
　
（２）効果について
　本願補正発明による効果も、引用発明、引用文献１及び２に記載されている事項及び周知技術から当業者が予測し得た程度のものであって、格別のものとはいえない。
　
　したがって、本願補正発明は、引用発明、引用文献１及び２に記載されている事項及び周知技術に基づいて、当業者が容易に発明をすることができたものであるから、特許法第２９条第２項の規定により、特許出願の際独立して特許を受けることができない。 
　
５．むすび 
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
　　　 　 
第３．本願発明について 
１．本願発明 
　本件補正は、上記のとおり却下されたので、本願の請求項１及び２に係る発明は、平成２４年４月２日付けで補正された特許請求の範囲の請求項１及び２に記載された事項により特定されるとおりのものであると認められるところ、その請求項１に係る発明（以下、「本願発明」という。）は、前記「第２．［理由］１．」に記載したとおりである。
 　 
２．引用文献の記載事項 
　引用文献の記載事項は、前記「第２．２．」に記載したとおりである。 
 　 
３．対比・判断 
　本願発明は、本願補正発明から、前記「第２．［理由］１．」に記載した「搬送装置の両外方の前記部品供給装置との間であり両装着ヘッドが互いに移動して入り込むことができるいずれかの共通エリアに前記搬送装置に沿って設けると共に」との付加事項を省くものである。そうすると、本願発明の発明特定事項をすべて含み、さらに、前記「第２．［理由］１．」の限定事項により減縮したものに相当する本願補正発明が、前記「第２．３．及び４．」に記載したとおり、引用発明、引用文献１及び２に記載されている事項及び周知技術に基づいて、当業者が容易に発明をすることができたものであるから、本願発明も、実質的に同様の理由（周知技術の適用を除く）により、引用発明、引用文献１及び２に記載されている事項に基づいて、当業者が容易に発明をすることができたものである。 
　　
４．むすび 
　以上のとおり、本願発明（請求項１に係る発明）は、引用発明、引用文献１及び２に記載されている事項に基づいて、当業者が容易に発明をすることができたものであるから、特許法第２９条第２項の規定により、特許を受けることができない。
　したがって、本願の他の請求項に係る発明について検討するまでもなく、本願は拒絶すべきものである。
　よって、結論のとおり審決する。